(57)【要約】【課題】様々な電圧で使用されている歯科用ユニットでも照度のバラツキを無くし、更には、ＬＥＤの挿入方向を誤って故障することを防止できる発光ダイオード照明部品５０およびＬＥＤカップリング２２０、発光ダイオード照明部品５０、接続部品４、および歯科用ハンドピース装置１を提供する。【解決手段】発光ダイオード素子７７と接続端子５４とを有する発光ダイオード部５１と、前記接続端子５４を通じて前記発光ダイオード素子７７に供給する電気系を制御する電気制御部５６とを備え、前記電気制御部５６は、前記発光ダイオード素子７７に供給する電流量を制限する定電流ダイオード５７，５８と、前記発光ダイオード素子７７に逆電圧が付与されることを防止するダイオード６４とを備えた発光ダイオード照明部品５０およびＬＥＤカップリング２２０。【選択図】図２
2011130860.tif 000002
【特許請求の範囲】
【請求項１】
歯科用ハンドピース装置に設けられて該歯科用ハンドピース装置の先端側の歯科診療工具近傍を照明可能にする発光装置であって、
発光ダイオード素子と電極とを有する発光部と、
前記電極を通じて前記発光ダイオード素子に供給する電気系を制御する電気制御部とを備え、
前記電気制御部は、
前記発光ダイオード素子に供給する電流量を制限する電流制限素子と、
前記発光ダイオード素子に逆電圧が付与されることを防止する逆電圧保護素子とを備えた
発光装置。
【請求項２】
請求項１記載の発光装置として機能する発光ダイオード照明部品であって、
前記発光部と前記電気制御部とが一体として構成され、
前記歯科用ハンドピース装置内のソケットに接続するソケット接続部が設けられた
発光ダイオード照明部品。
【請求項３】
前記電気制御部を配置する基板を備え、
前記発光ダイオード素子、前記電気制御部の少なくとも一部、前記基板、および前記ソケット接続部がこの順で物理的に直列配置して固定された
請求項２記載の発光ダイオード照明部品。
【請求項４】
請求項１記載の発光装置を備え、一方にハンドピース本体部が接続されて前記歯科用ハンドピース装置を構成する接続部品であって、
前記一方に設けられて前記ハンドピース本体部を着脱自在且つ軸心回りに回動可能に接続する先側接続部と、
他方に設けられてチューブが接続される後側接続部と、
内部に設けられて前記後側接続部を通じて前記チューブから供給される駆動媒体を前記ハンドピース本体部へ挿通許容する駆動媒体通路とを備え、
前記先側接続部の先端側に、前記ハンドピース本体部に設けられた導光体の後端に対向させて前記発光部を取り付けるソケットを備えた
接続部品。
【請求項５】
前記電気制御部は、前記先側接続部より後段側に設けられた
請求項４記載の接続部品
【請求項６】
請求項４または５に記載の接続部品と、該接続部品の先側接続部に着脱自在且つ軸心回りに回動可能に接続されるハンドピース本体部とよりなる歯科用ハンドピース装置であって、
前記ハンドピース本体部は、
先端側に設けられて歯科診療工具を取り付ける先端ヘッド部と、
内部に設けられて前記歯科診療工具を駆動させる為の駆動媒体の通過を許容する駆動媒体通路と、
前記接続部品の発光ダイオード素子からの光を導光して前記先端ヘッド部付近から前記歯科診療工具近傍へ向かって照射する導光体とを備えた
歯科用ハンドピース装置。
【発明の詳細な説明】
【技術分野】
【０００１】
この発明は、例えば歯科診療工具が先端に取り付けられて該歯科診療工具を歯牙に作用させて診療を行うような歯科用ハンドピース装置、および該歯科用ハンドピース装置に用いられる発光装置、発光ダイオード照明部品、接続部品に関する。
【背景技術】
【０００２】
歯科用ハンドピース装置は、先端ヘッド部に歯科診療工具（切削工具やスケーラ等）が取付けられ、この工具を歯牙に作用させて診療を行うものである。その為、工具を作動させる為の駆動媒体（エア、水、電気等）が、歯科用ハンドピース装置のハンドピース本体部を通じて工具の駆動体（エアタービン、マイクロモータ、超音波発振器等）に供給されるよう構成されている。
【０００３】
詳述すると、歯科用ハンドピース装置は、駆動媒体通路が内装されている可撓性チューブと、このチューブに接続される接続部品と、この接続部品の先側に着脱自在に接続されるハンドピース本体部とにより構成される。
【０００４】
前記ハンドピース本体部内には、上記歯科診療工具を作動させる為の駆動媒体を供給する通路が形成されている。前記接続部品には、上記チューブ及びハンドピース本体部を接続した際に、双方の駆動媒体通路を連通する為の駆動媒体連通路が形成されている。また、接続部品に対するハンドピース本体部の接続部は、術者の把持部とされるハンドピース本体部のハンドリング性を考慮して、ハンドピース本体部が軸心回りに回動可能な状態で接続されるように構成されている。
【０００５】
このような歯科用ハンドピース装置は、口腔内という暗く狭い領域で歯牙の処置という細かい作業に用いられる。このため、治療目的部位を照らす照明が必要となる。
【０００６】
このため、ハンドピースヘッドの首部に診療目的部位を照らすようＬＥＤを配置した接続部材及び歯科用ハンドピース装置が開示されている（特許文献１参照）。この歯科用ハンドピース装置は、ハンドピース本体部の歯科診療工具付近にＬＥＤが設けられ、このＬＥＤによって診療目的部位を照らすものである。そして、このＬＥＤの電線を接続部品（カップリング）との接続部で電源側の電線と電気的に接続する構成が開示されている。
【０００７】
また、緑色・赤色・青色のＬＥＤを搭載したフルカラーＬＥＤを光源とする照明機構を備えた歯科用治療器具も開示されている（特許文献２参照）。この歯科用治療器具は、電圧調整回路を備えることで、治療態様によってフルカラーＬＥＤが発光する色合いを変化させることができるとされている。また、この歯科用治療器具のフルカラーＬＥＤランプを使用する接続部品（カップリング）では、従来のハロゲンランプも使用できることも開示されている。
【０００８】
他にも、電気回路中に電流制限用素子を使用し、ＬＥＤに流す電流を制限してＬＥＤの発熱を防止するＬＥＤランプが開示されている（特許文献３参照）。
【先行技術文献】
【特許文献】
【０００９】
【特許文献１】特開２００８−３０７２４８号公報
【特許文献２】特開平７−３２８０３２号公報
【特許文献３】特開２００３−２７３４０４号公報
【発明の概要】
【発明が解決しようとする課題】
【００１０】
しかし、上述した特許文献１記載の歯科用ハンドピース装置は、ハンドピースにＬＥＤが内蔵されているタイプしか使用できない。このため、既存のライトガイドタイプのハンドピースは使用できなくなるという問題点があった。
【００１１】
また、特許文献２に記載の歯科用治療器具は、電圧調整回路を使用しており、ＬＥＤランプの照度にバラツキが生じるという問題点があった。詳述すると、電圧調整回路を用いると、点灯時点では同じ電圧値であるので電流値も同じになるが、時間が経過すると、ＬＥＤの発熱によって流れる電流値が変化する。そして、電流値が変化する結果、照度にバラツキが生じるという問題があった。
【００１２】
また、発光するＬＥＤの色によっても発熱の度合いが異なるため、使用中に徐々に色合いが変化していくといった問題点もあった。  
更にＬＥＤランプの端子形状も従来のハロゲンランプの端子形状と異なるため、既存の装置で使用することはできないという問題点もあった
また、特許文献３に記載のＬＥＤランプは、高輝度型ＬＥＤチップと汎用型ＬＥＤチップを使用するために、電流制限用素子を電気回路中に設けて発熱による発光波長変化を抑えることを目的としているものであった。このため、一定の照度を保つために電流制限素子を電気回路中に設けたものではない。
【００１３】
他にも、ＬＥＤランプを逆方向にしてソケット部に挿入した場合、過大な電圧がＬＥＤランプにかかることで、ＬＥＤが壊れるといった問題点もあった。
【００１４】
この発明は、上述した問題点に鑑み、様々な電圧で使用されている歯科用ユニットでも照度のバラツキを無くし、更には、ＬＥＤの挿入方向を誤って故障することを防止できる発光装置、発光ダイオード照明部品、接続部品、および歯科用ハンドピース装置を提供することを目的とする。
【課題を解決するための手段】
【００１５】
この発明は、歯科用ハンドピース装置に設けられて該歯科用ハンドピース装置の先端側の歯科診療工具近傍を照明可能にする発光装置であって、発光ダイオード素子と電極とを有する発光部と、前記電極を通じて前記発光ダイオード素子に供給する電気系を制御する電気制御部とを備え、前記電気制御部は、前記発光ダイオード素子に供給する電流量を制限する電流制限素子と、前記発光ダイオード素子に逆電圧が付与されることを防止する逆電圧保護素子とを備えた発光装置であることを特徴とする。
【００１６】
これにより、発光ダイオード素子に供給される電流を電流制限素子で一定にすることができ、様々な電圧が付与されても発光ダイオード素子の発光色および光度を一定に維持することができる。また、逆電圧保護素子で逆電圧から発光ダイオード素子を保護することができ、プラスマイナスが逆に接続されても発光ダイオード素子が故障することを防止できる。
【００１７】
またこの発明は、前記発光装置として機能する発光ダイオード照明部品であって、前記発光部と前記電気制御部とが一体として構成され、前記歯科用ハンドピース装置内のソケットに接続するソケット接続部が設けられた発光ダイオード照明部品とすることができる。
【００１８】
これにより、従来の歯科用ハンドピース装置内のソケットに発光ダイオード照明部品を装着して使用することが可能になる。すなわち、本発明の発光ダイオード照明部品は、電圧環境やプラスマイナス逆に接続され得る環境といった種々の環境から発光ダイオード素子を保護できることにより、発光装置としてハロゲンランプが用いられていたような従来の歯科用ハンドピース装置であっても、本発明の発光装置を装着して使用することが可能となる。ハロゲンランプであればプラスマイナスの接続方向に影響がないため、どちら向きにでも装着できるようになっているのが通常であるが、このような構成であるために発光ダイオード素子を用いた発光装置をプラスマイナス逆に装着しても、発光しないだけで故障せず、再度逆に装着しなおすことで問題なく使用できる。また、供給される電流量が適切でなくとも、電流制限素子によって適切な電流量にできるため、発光ダイオード素子の発光色や光度が想定外の状態になることがなく、適切に使用することができる。
【００１９】
この発明の態様として、前記電気制御部を配置する基板を備え、前記発光ダイオード素子、前記電気制御部の少なくとも一部、前記基板、および前記ソケット接続部がこの順で物理的に直列配置して固定することができる。
【００２０】
前記電気制御部の少なくとも一部は、電流制限素子など電気制御部として設けられる素子のうち比較的大きな素子で構成することが好ましい。
【００２１】
この態様により、発光ダイオード照明部品を小形に構成することができる。従って、従来のハロゲンランプなどが用いられていた歯科用ハンドピース装置に対して、そのハロゲンランプが設けられていた小さな空間内に実装することが可能となる。
【００２２】
またこの発明は、発光装置を備え、一方にハンドピース本体部が接続されて前記歯科用ハンドピース装置を構成する接続部品であって、前記一方に設けられて前記ハンドピース本体部を着脱自在且つ軸心回りに回動可能に接続する先側接続部と、他方に設けられてチューブが接続される後側接続部と、内部に設けられて前記後側接続部を通じて前記チューブから供給される駆動媒体を前記ハンドピース本体部へ挿通許容する駆動媒体通路とを備え、前記先側接続部の先端側に、前記ハンドピース本体部に設けられた導光体の後端に対向させて前記発光部を取り付けるソケットを備えた接続部品とすることができる。
【００２３】
前記駆動媒体は、エア（空気）、水、あるいは電気など、ハンドピース本体部のヘッド部等に設けられる駆動体を駆動する適宜の媒体とすることができる。  
これにより、発光装置として発光ダイオード素子を用いた接続部品を提供することができる。
【００２４】
この発明の態様として、前記電気制御部は、前記先側接続部より後段側に設けることができる。  
前記電気制御部は、整流回路と定電流回路とで構成する、あるいは定電流回路と逆耐圧回路とで構成することができる。
【００２５】
この態様により、電気制御部の実装空間を、発光ダイオード照明部品に一体構成するよりも大きくすることができる。すなわち、発光ダイオード照明部品に電気制御部を備える場合、ハンドピース本体部の導光体と対向配置する部分に実装することになるために実装空間が非常に小さくなる。また接続部品の先側接続部は、発光ダイオード素子に電気供給する電線の通路や駆動媒体の通路が密集しており余分な空間が殆どない。このため、実装可能な素子が制限され、整流回路のようにある程度の大きさを有する素子を実装することが困難である。これに対し、電気制御部を先側接続部より後段側に電気制御部を配置することで、電気制御部の実装空間を確保でき、整流回路のように比較的大きな素子を実装することが可能となる。
【００２６】
またこの発明は、前記接続部品と、該接続部品の先側接続部に着脱自在且つ軸心回りに回動可能に接続されるハンドピース本体部とよりなる歯科用ハンドピース装置であって、前記ハンドピース本体部は、先端側に設けられて歯科診療工具を取り付ける先端ヘッド部と、内部に設けられて前記歯科診療工具を駆動させる為の駆動媒体の通過を許容する駆動媒体通路と、前記接続部品の発光ダイオード素子からの光を導光して前記先端ヘッド部付近から前記歯科診療工具近傍へ向かって照射する導光体とを備えた歯科用ハンドピース装置とすることができる。
【００２７】
これにより、発光装置として発光ダイオード素子を用いた歯科用ハンドピース装置を提供することができる。
【発明の効果】
【００２８】
この発明により、様々な電圧で使用されている歯科用ユニットでも照度のバラツキを無くし、更には、ＬＥＤの挿入方向を誤って故障することを防止できる。また、既存のハンドピースを使用している術者に対しても、安価で耐久性のよいＬＥＤの照明を使用してもらうことができる。
【図面の簡単な説明】
【００２９】
【図１】実施例１の歯科用ハンドピース装置の概略構成を示す側面図。
【図２】歯科用ハンドピース装置の接続部品の一部分解縦断面図。
【図３】発光ダイオード照明部品の構成の説明図。
【図４】発光ダイオード照明部品の回路構成を示すブロック図。
【図５】一部断面側面図に示すように歯科用ハンドピース装置。
【図６】実施例２の接続部品の構成を示す説明図。
【図７】実施例２の接続部品を一部分解した状態のＥ−Ｅ断面図。
【図８】実施例２の接続部品のＦ−Ｆ断面図を。
【図９】実施例２の電気制御部の回路ブロック図。
【発明を実施するための形態】
【００３０】
この発明の一実施形態を以下図面と共に説明する。  
【実施例１】
【００３１】
図１は、実施例１の歯科用ハンドピース装置１の概略構成を示す側面図であり、図２は、歯科用ハンドピース装置１の接続部品４の一部分解縦断面図であり、図３は発光ダイオード照明部品５０の構成の説明図であり、図４は、発光ダイオード照明部品５０の回路構成を示すブロック図である。
【００３２】
図１に示すように、歯科用ハンドピース装置１は、主にハンドピース本体部２と接続部品４とにより構成されている。
【００３３】
ハンドピース本体部２は、基部（図示下部）から先端部（図示上部）へ向かって徐々に細くなりながら背面側（図示右側）へ若干反り返る略円筒形状に形成されており、その先端（図示上端）にヘッド部１０が設けられている。
【００３４】
ヘッド部１０の内部には、駆動体１１が設けられている。この駆動体１１は、エアタービンやマイクロモータや超音波発信機など、エアや水や電気といった適宜の駆動媒体により駆動する手段により構成されている。駆動体１１がエアタービンの場合、駆動媒体としてエアが供給されると、該エアの圧力によってエアタービンが回転駆動する。駆動体１１がマイクロモータの場合、電気が供給されるとマイクロモータが回転駆動する。駆動体１１は、ヘッド部１０の内部に限らず、ハンドピース本体部２の把持部内に設けられていてもよい。
【００３５】
この駆動体１１には、回転軸Ｃ１に歯科用診療工具１２が取り付けられている。この歯科用診療工具１２は、ヘッド部１０の外側へ突出している。歯科用診療工具１２は、切削工具やスケーラーなど、診療（診断や治療）に使用する適宜の工具とすることができる。切削工具の場合は、駆動体１１にエアタービンまたはマイクロモータを採用するとよく、スケーラーの場合は、駆動体１１に超音波発信機を採用するとよい。
【００３６】
ハンドピース本体部２は、基部側に接続リング２７が設けられている。この接続リング２７は、接続部品４の装着空間８４に挿入され、外側の凹面が、接続部品４のボール８６に当接して回転可能に装着される。
【００３７】
ハンドピース本体部２の基部側内部は、この接続リング２７から先端側（図示上方）へ向かって大径円筒面２６と小径円筒面２５がこの順で配置され、この小径円筒面２５と大径円筒面２６との内側空間が装着孔２８を形成している。装着孔２８には、接続部品４の先側接続部４ａが挿入される。この先側接続部４ａは、小径部４ｂが小径円筒面２５内に挿入され、ＯリングＲ１（図２参照）によりシールされる。また、先側接続部４ａは、大径部４ｃが大径円筒面２６内に挿入され、ＯリングＲ２（図２参照）によりシールされる。
【００３８】
ハンドピース本体部２の内部の先端側から中央少し基部側までには、駆動媒体通路２１、作業媒体通路２２、および導光体２３が配置されている。
【００３９】
駆動媒体通路２１は、チューブ９から接続部品４を介して供給されるエアや電気といった駆動媒体を搬送する通路である。搬送した駆動媒体は、駆動体１１に供給される。
【００４０】
作業媒体通路２２は、チューブ９から接続部品４を介して供給される洗浄用水や冷却エアといった作業媒体を搬送する通路である。搬送した作業媒体は、ヘッド部１０の歯科用診療工具１２の先端の診療対象部位に向け吐出される。
【００４１】
導光体２３は、光ファイバーで構成され、基部側端部２３ｂが、装着された接続部品４の発光ダイオード部５１の先端と対向して配置されている。この基部側端部２３ｂは、ハンドピース本体部２と接続部品４とが回転する回転軸Ｃ２に沿って一直線に形成されている。これにより、発光ダイオード部５１から照射された光を効率よく導光できる。
【００４２】
また、導光体２３の先端側端部２３ａは、ヘッド部１０の歯科用診療工具１２近傍位置に設けられている。この先端側端部２３ａは、歯科用診療工具１２の先端付近となる位置へ向かう方向に配置されている。従って、導光体２３を通ってきた光は、先端側端部２３ａから歯科用診療工具１２の先端付近へ向かって、回転軸から見て斜めに照射される。
【００４３】
接続部品４は、図２に示すように、接続部品本体８０と、その先端に装着される発光ダイオード照明部品５０と、この発光ダイオード照明部品５０を被覆するカバー４０とで構成されている。
【００４４】
カバー４０は、発光ダイオード照明部品５０を内部に収容できるサイズの略筒状に形成されている。カバー４０の先端は、内側へ向かって傾斜して形成され、その中央に投光孔４１が形成されている。この投光孔４１から発光ダイオード部５１の光が投光される。
【００４５】
カバー４０の先端部分内側には、圧縮コイルスプリング４３が設けられている。この圧縮コイルスプリング４３は、カバー４０の内周に沿って配置され、先端側がカバー４０の先端部分内側の突起４２で係止されている。この圧縮コイルスプリング４３は、発光ダイオード部５１の砲弾形状部５２が内側に挿通され、かつ、発光ダイオード部５１のフランジ部５３が挿通しない大きさに形成されている。これにより、圧縮コイルスプリング４３で発光ダイオード照明部品５０を付勢でき、衝撃等を和らげて故障防止を図ることができる。
【００４６】
カバー４０の側面には、熱放射用の換気孔４５が設けられている。  
カバー４０の基部側内面は、ネジ溝４７が形成されている。このネジ溝４７により、カバー４０は、接続部品本体８０のソケット装着部８１の外面に設けられたねじ山に螺合される。  
また、カバー４０は、絶縁性を持たせるためにフッ素等の絶縁性部材によるコーティングを行ったり、カバー４０自体を樹脂等の絶縁性部材で成形したりしてもよい。
【００４７】
発光ダイオード照明部品５０は、発光ダイオード部５１と基板５９と差込部６０とで主に構成されている。この発光ダイオード照明部品５０は、発光ダイオード部５１、定電流ダイオード５７，５８、基板５９、接続端子６２がこの順で設けられている。定電流ダイオード５７，５８は、電流制限素子として機能するものである。また、定電流ダイオード５７，５８、ダイオード６４、および抵抗６５により電気制御部５６が構成される。
【００４８】
接続部品本体８０は、主に先側接続部４ａ、中央部４ｄ、後側接続部４ｅで構成されている。  
先側接続部４ａは、基部側に大径部４ｃが設けられ、先端側に小径部４ｂが設けられている。
【００４９】
小径部４ｂの先端には、ソケット装着部８１が設けられている。ソケット装着部８１は、略円筒形状であり、外周にねじ山が設けられている。ソケット装着部８１の少し基部側には、シールするためのＯリングＲ１が設けられている。
【００５０】
ソケット装着部８１の内側には、ソケット７０が装着されている。このソケット７０は、発光ダイオード照明部品５０を取り付ける装着孔７２が先端に設けられている。また、ソケット７０の形状は、従来のハロゲンランプが装着可能な形状とすることができる。
【００５１】
ソケット装着部８１の装着孔７２が設けられている内壁には、２つの接続端子７１が対向配置されている。この接続端子７１は、装着された発光ダイオード照明部品５０の２つの接続端子６２にそれぞれ接触して電気的に接続される。
【００５２】
接続部品本体８０は、内部に、電線８２を通す電線通路９９が先端から基端に渡って設けられている。この電線通路９９には、プラスとマイナスの２本の電線８２が配置されている。また、接続部品本体８０は、内部に、駆動媒体通路９８（図１参照）と、図示省略する作業媒体通路とが設けられている。
【００５３】
駆動媒体通路９８は、ハンドピース本体部２の駆動媒体通路２１と連通し、チューブ９から送り出されるエアや水や電気といった駆動媒体をハンドピース本体部２のヘッド部１０へ供給する。
【００５４】
図示省略する作業媒体通路は、ハンドピース本体部２の作業媒体通路２２と連通し、チューブ９から送り出される冷却エアや洗浄用水といった媒体をハンドピース本体部２のヘッド部１０へ供給する。
【００５５】
大径部４ｃは、小径部４ｂより半径大の円筒形状に形成されて外周に複数のＯリングＲ２が設けられている。大径部４ｃの内部には、電線８２を通す電線通路９９等が設けられている。
【００５６】
中央部４ｄは、大径部４ｃから続いている円筒形状が途中で半径大となる段差を有し、この段差の大径部４ｃ側に付勢手段８８ａを介して円筒形の当接緩衝リング８８が設けられている。
【００５７】
該当接緩衝リング８８の外側位置には、略円筒形のボール保持リング８７が設けられており。このボール保持リング８７のボール保持孔にボール８６が保持されている。
【００５８】
ボール保持リング８７の外側位置には、略円筒形の操作スリーブ８５が回転可能に設けられている。
【００５９】
この構成を有する中央部４ｄは、ボール保持リング８７に保持されたボール８６と接続部品本体８０との間に装着空間８４が設けられている。この装着空間８４にハンドピース本体部２の接続リング２７が差し込まれることで、接続部品４にハンドピース本体部２が回転可能に装着される。差し込まれた接続リング２７の端部は、当接緩衝リング８８に当接する際に付勢手段８８ａの付勢力によって衝撃が減少される。
【００６０】
後側接続部４ｅは、後端部に底板９１が設けられ、この底板９１から突出するように冷却エア供給用差込プラグ９２、水供給用差込プラグ９３、エア供給用差込プラグ９４、電気プラグ端子９５、エア排気用差込プラグ９６が設けられている。
【００６１】
図３は、発光ダイオード照明部品５０の構造を説明する説明図である。図３（Ａ）は発光ダイオード照明部品５０の正面図を示し、図３（Ｂ）は発光ダイオード照明部品５０の底面図を示し、図３（Ｃ）はＡ−Ａ矢視断面図を示し、図３（Ｄ）はＢ−Ｂ矢視断面図を示し、図３（Ｅ）はＣ−Ｃ矢視断面図を示し、図３（Ｆ）はＤ−Ｄ矢視断面図を示す。
【００６２】
発光ダイオード照明部品５０は、上述したように発光ダイオード部５１と基板５９と差込部６０とで主に構成されている。  
発光ダイオード部５１は、図３（Ｃ）に示すように、円筒形の一端に球面が設けられた砲弾形状部５２と、該砲弾形状部５２の他端に設けられた半径大のフランジ部５３とが設けられている。
【００６３】
該発光ダイオード部５１のフランジ部５３の周囲は、円筒形の被覆部材５５で被覆されている。この被覆部材５５は、フランジ部５３の高さよりも高く、上端部分がフランジ部５３の対応部分としてフランジ部５３を被覆している。被覆部材５５の後端は基板５９で被覆されている。そして、被覆部材５５の内側に位置して、前記基板５９の上面に定電流ダイオード５７，５８が設けられている。また、被覆部材５５の内側には、発光ダイオード部５１の足である接続端子５４が設けられている。
【００６４】
基板５９は、円盤形状の円周部２箇所を平行に切り落とした小判型に形成されている。
【００６５】
この基板５９の下面には、ダイオード６４と抵抗６５とが設けられている。ダイオード６４は、逆耐圧回路として機能する。また、該基板５９の下面から突出して２つの接続端子６２が設けられている。この２つの接続端子６２は、差込部６０の左右両側部に対称に配置されている。
【００６６】
差込部６０は、樹脂で形成されており、前記接続端子６２が側面に配置されている。差込部６０の形状は、ソケット７０に装着できる凸型の形状に形成されており、ソケット７０に装着される従来のハロゲンランプと同寸法に形成されることが好ましい。
【００６７】
この発光ダイオード照明部品５０は、発光ダイオード部５１のフランジ部５３と基板５９と被覆部材５５とで定電流ダイオード５７，５８を囲む構成となっており、この囲まれた内側が樹脂でモールドされている。
【００６８】
図４は、発光ダイオード照明部品５０の構成を示すブロック図である。  
発光ダイオード照明部品５０は、定電流回路７５、逆耐圧回路７６、および発光ダイオード素子７７が接続されている。  
定電流回路７５は、定電流ダイオード５７，５８（図４参照）で構成されており、発光ダイオード素子７７に付与する電流を一定に安定化させる。これにより、使用される様々な歯科用ユニットによって電圧値が異なっていても発光ダイオード素子７７に供給する電流を一定にすることができ、発光ダイオード素子７７の発光色や光度を一定に保つことができる。
【００６９】
逆耐圧回路７６は、ダイオード６４（図４参照）により構成されている。この逆耐圧回路７６により、発光ダイオード照明部品５０がソケット７０に対してプラスマイナスが逆に装着されても、逆電流による発光ダイオード素子７７の破損を防止できる。プラスマイナスが逆に装着されると、発光ダイオード照明部品５０が発光しないため、利用者は、発光ダイオード照明部品５０をプラスマイナス逆になるようにソケット７０に装着しなすことで、発光ダイオード照明部品５０を利用できる。
【００７０】
上述した各構成要素を接続することで、図５の一部断面側面図に示すように歯科用ハンドピース装置１が完成する。  
すなわち、図２に示した接続部品本体８０の先端のソケット７０に発光ダイオード照明部品５０が装着され、さらにカバー４０で被覆されて接続部品４が完成する。そして、図１に示したように、この接続部品４の先側接続部４ａがハンドピース本体部２の装着孔２８に挿入され、接続リング２７が装着空間８４に挿入されて該接続リング２７の外側凹面にボール８６が当接することで、ハンドピース本体部２と接続部品４が相対回転可能に装着される。
【００７１】
さらに、歯科用ハンドピース装置１は、接続部品４の後側接続部４ｅがチューブ９に接続され、該チューブ９を介して図示省略する診療装置から駆動媒体を得て駆動する。駆動媒体としては、エア、水、電気などが供給され、これらの駆動媒体によってヘッド部１０の駆動体１１が駆動し、歯科用診療工具１２を用いた診療が行われる。
【００７２】
また、チューブ９から供給される電気が接続部品４の電線８２を通じて発光ダイオード照明部品５０に供給され、発光ダイオード部５１が発光する。発光ダイオード部５１の光は、該発光ダイオード部５１の先端に対向配置された基部側端部２３ｂから導光体２３に入光し、該導光体２３を通って先端側端部２３ａから投光される。この光によって歯科用診療工具１２の先端付近が照明され、術者は的確に診療することができる。
【００７３】
以上の構成により、様々な電圧で使用されている歯科用ユニットに装着されている歯科用ハンドピース装置１でも照度のバラツキを無くすことができる。  
また、発光ダイオード部５１に供給される電流を定電流ダイオード５７，５８で一定にすることができ、様々な電圧が付与されても発光ダイオード部５１の発光色および光度を一定に維持することができる。
【００７４】
また、ダイオード６４で逆電圧から発光ダイオード部５１を保護することができ、ソケット７０に対してプラスマイナスが逆に接続されても発光ダイオード部５１が故障することを防止できる。
【００７５】
また、従来の歯科用ハンドピース装置１内のソケット７０に発光ダイオード照明部品５０を装着して使用することが可能になる。すなわち、発光ダイオード照明部品５０は、電圧環境やプラスマイナス逆に接続され得る環境といった種々の環境から発光ダイオード部５１を保護できることにより、発光装置としてハロゲンランプが用いられていたような従来の歯科用ハンドピース装置１であっても、本発明の発光ダイオード照明部品５０を装着して使用することが可能となり、互換性をもって使用することができる。ハロゲンランプであればプラスマイナスの接続方向に影響がないため、どちら向きにでも装着できるようになっているのが通常であるが、このような構成であるために発光ダイオード部５１を用いた発光ダイオード照明部品５０をプラスマイナス逆に装着しても、発光しないだけで故障せず、再度逆に装着しなおすことで問題なく使用できる。また、供給される電流量が適切でなくとも、定電流ダイオード５７，５８によって適切な電流量にできるため、発光ダイオード部５１の発光色や光度が想定外の状態になることがなく、適切に使用することができる。
【００７６】
また、発光ダイオード照明部品５０を小形に構成することができる。従って、従来のハロゲンランプなどが用いられていた歯科用ハンドピース装置１に対して、そのハロゲンランプが設けられていた小さな空間内に実装することが可能となる。
【００７７】
また、歯科用ハンドピース装置１は、ソケット７０に発光ダイオード照明部品５０を装着して使用することができ、またソケット７０にハロゲンランプを装着して使用することもできる。
【実施例２】
【００７８】
実施例２として、発光ダイオード素子の電気制御部を発光ダイオード照明部品から分離して接続部品に備えた例について説明する。  
図６（Ａ）は実施例２の接続部品４の正面図を示し、図６（Ｂ）は実施例２の接続部品４の底面図を示し、図７は実施例２の接続部品４を一部分解した状態のＥ−Ｅ断面図を示し、図８は実施例２の接続部品４のＦ−Ｆ断面図を示す。
【００７９】
この実施例２の接続部品４は、実施例１の接続部品４と比較して、細部の形状が異なるものの基本構成および構造が同一であるため、同一要素に同一符号を付してその詳細な説明を省略する。また、図示では切断箇所の関係で省略されているが、ボール保持リング８７はボール８６（実施例１参照）を保持しており、当接緩衝リング８８は付勢手段８８ａ（実施例１参照）で付勢されている。
【００８０】
実施例１の接続部品４と異なる点として、図７に示すように、接続部品本体８０の後側接続部４ｅのあたりに電気制御部収納空間２００が設けられ、基板２１０等が収納されている。また、ソケット装着部８１には、実施例１と異なるソケット１７０が設けられ、実施例１と異なる発光ダイオード照明部品１５０が装着される。
【００８１】
発光ダイオード照明部品１５０は、発光ダイオード部１５１とカバー部材１５５とで主に構成されている。発光ダイオード部１５１は、基板１５６の上面に図示省略する発光ダイオード素子が設けられ、その上面に半球形状部１５２が設けられている。基板１５６の下面には、２つの接続端子１５４が突出して設けられている。
【００８２】
ソケット１７０は、整形樹脂内に２つの接続端子１７１が埋設されている。この接続端子１７１は、凹型に形成されており、この凹部内に発光ダイオード部１５１の接続端子１５４が挿入されて電気的に接続される。
【００８３】
電気制御部収納空間２００には、電気制御部２０５が収納されている。概略電気制御部２０５は、四角形の基板２１０に、回路素子２１１〜２１５が設けられて構成されている。これらの回路素子２１１〜２１５は、整流回路や定電流回路を構成する電子素子であり、ダイオードやコンデンサや抵抗等で構成されている。
【００８４】
図９は、発光装置として機能する実施例２のＬＥＤカップリング２２０の回路構成を示すブロック図である。  
ＬＥＤカップリング２２０は、整流回路２２１、定電流回路２２２、および発光ダイオード素子７７が接続されている。整流回路２２１と定電流回路２２２は、電気制御部２０５（図７参照）に設けられており、発光ダイオード素子７７は、発光ダイオード照明部品１５０（図７参照）に設けられている。
【００８５】
整流回路２２１は、供給される交流電流を直流に整流して発光ダイオード素子７７に供給する。この整流回路２２１は、半波整流回路または全波整流回路とすることができるが、全波整流回路とすることが好ましい。この整流回路２２１により、発光ダイオード照明部品１５０がソケット１７０に対してプラスマイナスどちら向きに接続されても、逆電流による発光ダイオード素子７７の破損を防止し、かつ、正しく点灯させることができる。このため、利用者は、プラスマイナスを意識せずに発光ダイオード照明部品１５０をソケット１７０に装着して使用できる。
【００８６】
定電流回路２２２は、発光ダイオード素子７７に付与する電流を一定に安定化させる。これにより、使用される様々な歯科用ユニットによって電圧値が異なっていても発光ダイオード素子７７に供給する電流を一定にすることができ、発光ダイオード素子７７の発光色や光度を一定に保つことができる。
【００８７】
以上の構成により、電気制御部２０５の実装空間を、実施例１のように発光ダイオード照明部品５０（図２参照）に一体構成するよりも大きくすることができる。
【００８８】
すなわち、発光ダイオード照明部品５０に電気制御部２０５を備えようとする場合、ハンドピース本体部２（図１参照）の導光体２３（図１参照）と対向配置する部分に実装することになるために実装空間が非常に小さくなる。また接続部品４の先側接続部４ａは、発光ダイオード部５１に電気供給する電線の通路や駆動媒体の通路が密集しており余分な空間が殆どない。このため、実装可能な素子が制限され、整流回路２２１のようにある程度の大きさを有する素子を実装することが困難である。このため実施例１では、逆耐圧回路７６（図４参照）を備えるに留めていた。
【００８９】
これに対し、実施例２のように先側接続部４ａより後段側に電気制御部２０５を配置することで、電気制御部２０５の実装空間を広く確保でき、整流回路２２１のように比較的大きな素子を実装することが可能となる。
【００９０】
また、整流回路２２１を備えることで、ソケット１７０に対して発光ダイオード照明部品１５０を電気的にプラスマイナスどちらに接続しても点灯させることができ、利便性が向上する。
【００９１】
また、発光ダイオード照明部品１５０に設けられている電気回路が発光ダイオード部１５１だけであり、電気制御部２０５を構成する回路素子２１１〜２１５が接続部品４に設けられているため、ＬＥＤのランプ切れ交換を安価に行うことができる。すなわち、ＬＥＤのランプ切れ交換の際、回路素子２１１〜２１５を交換する必要がなく、発光ダイオード部１５１が設けられた発光ダイオード照明部品１５０を交換するだけで済むため、容易かつ安価に交換できる。
【００９２】
この発明の構成と、上述の実施形態との対応において、
この発明の先側接続部より後段側は、実施形態の接続部品４の中央部４ｄおよび後側接続部４ｅに対応し、
以下同様に、
先端ヘッド部は、ヘッド部１０に対応し、
導光体の後端は、基部側端部２３ｂに対応し、
発光装置は、発光ダイオード照明部品５０およびＬＥＤカップリング２２０に対応し、
発光部は、発光ダイオード部５１，１５１に対応し、
電極は、接続端子５４に対応し、
電気制御部の少なくとも一部は、定電流ダイオード５７，５８に対応し、
ソケット接続部は、差込部６０に対応し、
電流制限素子は、定電流回路７５，２２２に対応し、
逆電圧保護素子は、逆耐圧回路７６および整流回路２２１に対応し、
駆動媒体は、水、エア、電気に対応するが、
この発明は、上述の実施形態の構成のみに限定されるものではなく、多くの実施の形態を得ることができる。
【産業上の利用可能性】
【００９３】
この発明は、歯科用の診療に用いられるハンドピースをはじめとして、様々なハンドピースに利用することができる。
【符号の説明】
【００９４】
１…歯科用ハンドピース装置、２…ハンドピース本体部、４…接続部品、４ａ…先側接続部、４ｅ…後側接続部、４ｄ…中央部、９…チューブ、１０…ヘッド部、１２…歯科用診療工具、２３…導光体、２３ｂ…基部側端部、５０…発光ダイオード照明部品、５１，１５１…発光ダイオード部、５４…接続端子、５６，２０５…電気制御部、５７，５８…定電流ダイオード、５９…基板、６０…差込部、７０…ソケット、７５，２２２…定電流回路、７６…逆耐圧回路、７７…発光ダイオード素子、９８…駆動媒体通路、９９…電線通路、１７０…ソケット、２２０…ＬＥＤカップリング、２２１…整流回路
【図１】
2011130860.tif 000003
【図２】
2011130860.tif 000004
【図３】
2011130860.tif 000005
【図４】
2011130860.tif 000006
【図５】
2011130860.tif 000007
【図６】
2011130860.tif 000008
【図７】
2011130860.tif 000009
【図８】
2011130860.tif 000010
【図９】
2011130860.tif 000011